(57)【要約】【課題】直進フィーダを備えた振動式部品搬送装置において、部品搬送部材の搬送路の上方を塞ぐ天板と部品搬送部材の本体部との間への不良部品の欠片等の噛み込みを防止する。【解決手段】直進フィーダ２の搬送路９の途中に設けられた姿勢保持部９ｂの上方を塞ぐ天板１３と、シュート本体１１の天板取付面１１ａの相対する位置のそれぞれに、天板１３と天板取付面１１ａとの間に吸引力が作用するように磁石１６、１７を埋め込むことにより、天板１３を天板取付面１１ａに沿って開いたときも天板１３がシュート本体１１の天板取付面１１ａと密着した状態が維持されて、詰まった部品を圧縮空気で排除する作業を行っても、飛び散った不良部品の欠片等が天板１３とシュート本体１１の間へ噛み込むおそれがないものとした。【選択図】図７
2018115063.tif 000002
【特許請求の範囲】
【請求項１】
直線状の搬送路が形成された部品搬送部材を振動させて、前記搬送路上の部品を搬送する直進フィーダを備えた振動式部品搬送装置において、
前記部品搬送部材は、
前記搬送路が形成された本体部と、
前記搬送路の上方を塞ぎ、前記本体部に形成された天板取付面に摺動可能に当接する天板とを備え、
前記天板と前記本体部の前記天板取付面との相対する位置のそれぞれに、前記天板と前記天板取付面との間に吸引力が作用するように磁石が埋め込まれていることを特徴とする振動式部品搬送装置。
【請求項２】
前記部品搬送部材の本体部の天板取付面に天板側へ突出するピンが設けられ、前記天板には、その開閉方向に延び、前記ピンが摺動可能に差し込まれる長穴が設けられていることを特徴とする請求項１に記載の振動式部品搬送装置。
【請求項３】
前記部品搬送部材に、前記天板を本体部の天板取付面に沿って開閉させる駆動手段、または前記本体部を前記天板の開閉方向に移動させる駆動手段を設けたことを特徴とする請求項１または２に記載の振動式部品搬送装置。
【請求項４】
前記駆動手段は、前記天板に取り付けられる筒部と、前記筒部から前記天板の開閉方向に突出して前記本体部の外側面に押し付けられるロッドとを有するエアシリンダであることを特徴とする請求項３に記載の振動式部品搬送装置。
【請求項５】
前記部品搬送部材の本体部の天板取付面は、凹部が形成されていない平坦面であることを特徴とする請求項１乃至４のいずれかに記載の振動式部品搬送装置。
【請求項６】
前記部品搬送部材の本体部および天板の磁石取付部を非磁性材料で形成したことを特徴とする請求項１乃至５のいずれかに記載の振動式部品搬送装置。
【請求項７】
前記部品搬送部材の本体部側の磁石と天板側の磁石の互いに吸引し合う面の面積を等しくしたことを特徴とする請求項１乃至６のいずれかに記載の振動式部品搬送装置。
【請求項８】
前記各磁石を永久磁石としたことを特徴とする請求項１乃至７のいずれかに記載の振動式部品搬送装置。
【請求項９】
前記各磁石を軸方向に着磁された円形磁石としたことを特徴とする請求項８に記載の振動式部品搬送装置。
【発明の詳細な説明】
【技術分野】
【０００１】
本発明は、直線状の搬送路が形成された部品搬送部材を振動させて、その搬送路上の部品を搬送する直進フィーダを備えた振動式部品搬送装置に関する。
【背景技術】
【０００２】
電子チップ部品等の小型の部品を振動により搬送しながら整列させて（部品の姿勢を揃えて）次工程に供給する装置として、直線状の搬送路が形成されたシュート（部品搬送部材）を有し、部品供給スピードを調整しやすい振動式の直進フィーダの上流側に、螺旋状の搬送路が形成されたボウルを有し、部品を多く貯蔵できる振動式のボウルフィーダを接続した振動式部品搬送装置がよく使用される。
【０００３】
上記のような振動式部品搬送装置では、ボウルフィーダのボウルを振動させて、ボウルの底部に投入された部品を螺旋状の搬送路で搬送し、その出口から直進フィーダのシュートの搬送路の入口に部品を受け渡し、直進フィーダのシュートを振動させることにより、シュートの搬送路上の部品を直線的に搬送して次工程に供給するようになっている。
【０００４】
そのボウルフィーダと直進フィーダは、通常、両フィーダ間で部品が乗り移りやすくなるように、ボウルの搬送路出口をシュートの搬送路入口よりわずかに高くしているので、ボウルフィーダで部品を整列させても、部品が直進フィーダに乗り移ったときの衝撃で姿勢を変えたり、部品どうしが重なりあったりすることが多い。このため、直進フィーダのシュートに、その搬送路の途中まで搬送されてきた部品を所定の姿勢に整列させる姿勢整列部と、姿勢整列部よりも部品搬送方向の下流側で部品を所定の姿勢に保って排出端まで搬送する姿勢保持部を設けるようにしている。
【０００５】
ところが、直進フィーダでは、シュートの姿勢整列部を通過した直後に姿勢が変化した部品が姿勢保持部を進んでいくことができず、姿勢保持部の入口で詰まってしまうことがある。特に、最近のウェアラブル機器やスマートフォン等に搭載される電子チップ部品は一層サイズが小さくなる傾向にあり、肉眼での部品の区別や姿勢判別が困難なほど微細なものでは、姿勢保持部よりも上流側では振動によって姿勢が変化しやすいので、姿勢保持部の入口で詰まりやすい。また、部品表面に塵や埃等が付着している場合や、不良部品の割れによって生じた欠片が姿勢保持部の入り口付近に滞留している場合も、部品の詰まりが生じやすい。
【０００６】
これに対して、特許文献１で提案されている振動式部品搬送装置は、シュートの姿勢保持部の入口の直前とそれよりも上流側に、搬送路上の部品に向けて圧縮空気を噴出して部品を搬送路から排除する部品排除機構（第１および第２の排除部）を設け、姿勢保持部の入口で部品が詰まったときは、両方の部品排除機構で圧縮空気を噴出して、詰まった部品が後続部品から受ける押圧力を軽減することにより、詰まった部品を効果的に排除できるようにしている。
【先行技術文献】
【特許文献】
【０００７】
【特許文献１】特開２００９−９６５５９号公報
【発明の概要】
【発明が解決しようとする課題】
【０００８】
しかしながら、上記のように圧縮空気によって搬送路の途中で詰まった部品を排除する方式の部品排除機構を設けた振動式部品搬送装置では、肉眼での姿勢の判別が難しく、ピンセットでつかむことも困難なほど微細な部品を搬送する場合、詰まった部品の排除作業の際に、圧縮空気で不良部品の欠片等が飛び散り、トラブルを発生させるおそれがある。
【０００９】
例えば、一般的な直進フィーダでは、図９（ａ）に示すように、シュート５１の搬送路５２が、上面側に段差のあるシュート本体（本体部）５３とシュート本体５３の下段側の上面に固定された側板５４とで形成されており、その搬送路５２の上方を塞ぐ天板５５がシュート本体５３の上段側の上面（天板取付面）５３ａにつまみねじ５６によって固定されている。そのつまみねじ５６は、部品搬送方向と直交する方向に延びる天板５５の長孔５５ａを貫通してシュート本体５３にねじ込まれている。すなわち、搬送路５２で詰まった部品を取り除こうとする際には、つまみねじ５６を緩めて天板５５を開く（図面左側へ移動させる）ことにより、搬送路５２の上方を開放できるようになっている。
【００１０】
ところが、図９（ｂ）に示すように、つまみねじ５６を緩めて天板５５を開いたときには、天板５５が僅かに傾くことにより、天板５５とシュート本体５３との間に搬送路５２側が広い楔形の隙間が生じ、この状態で圧縮空気を搬送路に吹き付けると、割れた不良部品の欠片等が飛び散って、天板５５とシュート本体５３との間の隙間に噛み込んでしまうことがある。そして、作業者がこれに気付かずに天板５５を閉じてつまみねじ５６を締め付けてしまうと、天板５５およびシュート本体５３に圧痕や変形が発生して、整列機能や搬送能力の低下等の問題が生じることが懸念される。
【００１１】
そこで、本発明は、直進フィーダを備えた振動式部品搬送装置において、部品搬送部材の搬送路の上方を塞ぐ天板と部品搬送部材の本体部との間への不良部品の欠片等の噛み込みを防止することを課題とする。
【課題を解決するための手段】
【００１２】
上記の課題を解決するため、本発明は、直線状の搬送路が形成された部品搬送部材を振動させて、前記搬送路上の部品を搬送する直進フィーダを備えた振動式部品搬送装置において、前記部品搬送部材は、前記搬送路が形成された本体部と、前記搬送路の上方を塞ぎ、前記本体部に形成された天板取付面に摺動可能に当接する天板とを備え、前記天板と前記本体部の前記天板取付面との相対する位置のそれぞれに、前記天板と前記天板取付面との間に吸引力が作用するように磁石が埋め込まれている構成を採用した。
【００１３】
上記の構成によれば、部品搬送部材の搬送路の途中で詰まった部品の排除等のために天板を開いたときも、天板が部品搬送部材の本体部と密着した状態が維持されるので、天板と部品搬送部材の本体部との間への不良部品の欠片等の噛み込みをなくすことができる。
【００１４】
ここで、前記部品搬送部材の本体部の天板取付面に天板側へ突出するピンが設けられ、前記天板には、その開閉方向に延び、前記ピンが摺動可能に差し込まれる長穴が設けられている構成とすれば、天板をスムーズに開閉させることができる。
【００１５】
また、前記部品搬送部材に、前記天板を本体部の天板取付面に沿って開閉させる駆動手段、または前記本体部を前記天板の開閉方向に移動させる駆動手段を設けることもできる。その場合、前記駆動手段としては、前記天板に取り付けられる筒部と、前記筒部から前記天板の開閉方向に突出して前記本体部の外側面に押し付けられるロッドとを有するエアシリンダを採用することができる。
【００１６】
また、前記部品搬送部材の本体部の天板取付面は、凹部が形成されていない平坦面とすすることが望ましい。このようにすれば、詰まった部品の排除のために天板を開いたときや、天板を本体部から取り除いたときに、天板取付面に不良部品の欠片等が乗ったり塵や埃等の異物が付着したりしても容易に発見して除去することができる。
【００１７】
また、前記部品搬送部材の本体部および天板の磁石取付部を非磁性材料で形成すれば、磁石間の磁束が周囲の磁石取付部に広がりにくくなるので、磁石間の吸引力を効果的に発生させることができる。
【００１８】
前記部品搬送部材の本体部側の磁石と天板側の磁石の互いに吸引し合う面の面積を等しくすれば、磁石間の吸引力を最も効率よく発生させることができるので好ましい。
【００１９】
前記各磁石を永久磁石とすれば、磁石の取付けによるコストアップを抑えられる。その場合、前記各磁石は軸方向に着磁された円形磁石とするとよい。
【発明の効果】
【００２０】
本発明の振動式部品搬送装置は、上述したように、部品搬送部材の天板と本体部の天板取付面の相対する位置のそれぞれに、天板と天板取付面との間に吸引力が作用するように磁石を埋め込んだものであるから、天板を開いて搬送路の途中で詰まった部品を圧縮空気で排除する作業を行ったときにも、天板と本体部の間へ不良部品の欠片等が噛み込むおそれがなく、天板を閉じた後も安定した運転を行うことができる。
【図面の簡単な説明】
【００２１】
【図１】実施形態の振動式部品搬送装置の平面図
【図２】図１の正面図
【図３】ａは図１のシュートの下流側部分の拡大平面図、ｂはａの正面図
【図４】図３（ａ）のIV−IV線に沿った断面図
【図５】図３（ａ）のＶ−Ｖ線に沿った断面図
【図６】図３（ａ）に対応してシュートの天板を開いた状態を示す平面図
【図７】図６のVII−VII線に沿った断面図
【図８】図６のVIII−VIII線に沿った断面図
【図９】ａは従来の振動式部品搬送装置のシュートの断面図、ｂはａの天板を開いた状態を示す断面図
【発明を実施するための形態】
【００２２】
以下、図面に基づき、本発明の実施形態を説明する。この振動式部品搬送装置は、図１および図２に示すように、振動式のボウルフィーダ１とその下流側に接続される振動式の直進フィーダ２と、両フィーダ１、２が固定される基台３とを備え、ボウルフィーダ１に投入した微細な部品を、振動により直進フィーダ２の排出端まで搬送しながら整列させて（部品の姿勢を揃えて）、次工程に供給するものである。
【００２３】
前記ボウルフィーダ１は、部品搬送部材としてのボウル４を図示省略した加振機構と傾斜板ばね５とで振動させることにより、ボウル４底部に投入された部品をボウル４内面の螺旋状の搬送路６で搬送して、その搬送路６の最上部の排出端から直進フィーダ２に向けて排出するようになっている。
【００２４】
そして、前記直進フィーダ２は、部品搬送部材としてのシュート７を図示省略した加振機構と傾斜板ばね８とで振動させることにより、ボウルフィーダ１から受け取った部品をシュート７の直線状搬送路９で搬送して、その搬送路９の排出端から次工程に向けて排出するようになっている。また、直進フィーダ２にはシュート７と並列にリターンシュート１０が設けられ、このリターンシュート１０によりシュート７の搬送路９の途中で排除された部品をボウルフィーダ１のボウル４の底部に戻すようになっている。
【００２５】
ここで、ボウルフィーダ１と直進フィーダ２とでは振動方向、振動周波数および振幅が異なるため、両フィーダ１、２間の部品受け渡し部では、ボウル４の搬送路６をシュート７の搬送路９より僅かに高くした状態で両搬送路６、９をオーバーラップさせて、ボウルフィーダ１から直進フィーダ２に部品が容易に乗り移るようにしている。そして、直進フィーダ２に乗り移った部品は姿勢が一定せず、部品どうしで重なり合うこともあるので、直進フィーダ２のシュート７の搬送路９に、その搬送路９の途中まで搬送されてきた部品を所定の姿勢に整列させ、不良姿勢の部品や重なり合った部品を排除する姿勢整列部９ａと、姿勢整列部９ａよりも部品搬送方向の下流側で部品を所定の姿勢に保って排出端まで搬送する姿勢保持部９ｂを設けている。その姿勢整列部９ａの下流側部分および姿勢保持部９ｂは、図１および図３（ａ）、（ｂ）に示すように、シュート本体（シュート７の本体部）１１に取り付けられた天板１２、１３によって上方を塞がれ、搬送中の部品が飛び出さないようになっている。
【００２６】
前記シュート７の下流側部分では、図３乃至図５に示すように、シュート本体１１の上面側に段差を設け、このシュート本体１１の下段側の上面に側板１４を複数のボルト１５で固定することにより搬送路９の姿勢保持部９ｂを形成するとともに、姿勢保持部９ｂの上方を塞ぐ天板１３を天板取付面１１ａとなるシュート本体１１の上段側の上面に摺動可能に当接させている。その天板取付面１１ａは、ねじ穴や位置決め用の凹部が形成されていない平坦面とされている。
【００２７】
前記シュート本体１１の天板取付面１１ａへの天板１３の取り付けは、その天板１３と天板取付面１１ａの複数の相対する位置のそれぞれに、天板１３と天板取付面１１ａとの間に吸引力が作用するように磁石１６、１７を埋め込んでいる（図３（ａ）、（ｂ）および図４参照）。また、シュート本体１１の天板取付面１１ａには上向きに突出するピン１８が設けられ、天板１３には、その開閉方向（水平面内で部品搬送方向と直交する方向）に延び、シュート本体１１側のピン１８が摺動可能に差し込まれる長穴１３ａが設けられている（図３（ａ）および図５参照）。これにより、天板１３は、シュート本体１１に吸引された状態で、天板取付面１１ａに沿ってスムーズに開閉できるようになっている。
【００２８】
また、このシュート７には、天板１３をシュート本体１１の天板取付面１１ａに沿って開閉させる駆動手段としてエアシリンダ１９を設けている。エアシリンダ１９は、その筒部１９ａが天板１３の外側縁から垂下する取付片１３ｂに固定され、筒部１９ａから天板１３の開閉方向に突出するロッド１９ｂがシュート本体１１の外側面に押し付けられている。そして、図示省略したエア源からエアを供給して、ロッド１９ｂの筒部１９ａからの突出量を大きくすることにより、筒部１９ａがシュート本体１１から離れ、筒部１９ａと一体に天板１３が開方向に移動して、姿勢保持部９ｂの上方が開放されるようになっている（図８参照）。
【００２９】
ここで、前記天板１３側の磁石１６とシュート本体１１側の磁石１７は、いずれも円形の永久磁石であり、磁化方向が当該円の中心軸方向（厚み方向）となるように着磁されている。そして、天板１３をシュート本体１１の天板取付面１１ａへ組み付けたときに、天板１３側の磁石１６のＮ極とシュート本体１１側の磁石１７のＳ極が対向して吸引し合うように配置されている。また、両磁石１６、１７の互いに吸引し合う面は同じ面積に形成され、両磁石１６、１７間の吸引力が最も効率よく発生するようになっている。一方、シュート本体１１と天板１３はいずれも非磁性材料で形成されており、これにより両磁石１６、１７間の磁束が周囲に広がりにくく、両磁石１６、１７間の吸引力を効果的に発生させられるようになっている。
【００３０】
また、天板１３側の磁石１６は、シュート本体１１側の磁石１７に対して、天板１３の開閉方向でわずかに外側へずれた状態で対向するように配置されている。このように天板１３側の磁石１６のＮ極とシュート本体１１側の磁石１７のＳ極とを互いに引き合う距離まで近づけると、天板１３側の磁石１６のＮ極から出た磁束はシュート本体１１側の磁石１７のＳ極にまっすぐに向かう。そして、その磁束には縮まろうとする力が働くため、両磁石１６、１７間にはそれぞれの中心を一致させる方向に吸引力が作用する。これにより、天板１３とこれに固定されたエアシリンダ１９の筒部１９ａはシュート本体１１の内側へ向かう力を受け、エアシリンダ１９を作動させたとき以外は、エアシリンダ１９のロッド１９ｂの突出量が最小となって、天板１３が姿勢保持部９ｂの上方を塞ぐ状態で位置決めされるようになっている。
【００３１】
一方、シュート７の部品搬送方向の中央部では、姿勢整列部９ａの上方を塞ぐ天板１２が、上述した姿勢保持部９ｂの上方を塞ぐ天板１３と同じ構成でシュート本体１１に取り付けられている。すなわち、図１および図３（ａ）、（ｂ）に示すように、天板１２とシュート本体１１の天板取付面１１ａの相対する位置のそれぞれに、天板１２と天板取付面１１ａとの間に吸引力が作用するように磁石２０、２１が埋め込まれている。そして、天板取付面１１ａから突出するピン２２が天板１２の開閉方向に延びる長穴１２ａに摺動可能に差し込まれて、天板１２がシュート本体１１に吸引された状態で、天板取付面１１ａに沿ってスムーズに開閉できるようになっている。
【００３２】
また、このシュート７中央部側の天板１２の開閉方法や閉時の位置決め方法も、シュート７下流側の天板１３と同じである。すなわち、天板１２を開閉させる駆動手段として、シュート７下流側のエアシリンダ１９と同じ構成のエアシリンダ２３（図１参照）を設けるとともに、天板１２側の磁石２０をシュート本体１１側の磁石２１と平面視でずれた状態で配置することにより、天板１２が姿勢整列部９ａの上方を塞ぐ状態で位置決めされるようにしている。
【００３３】
この振動式部品搬送装置は、上記の構成であり、図６乃至図８に示すように、直進フィーダ２のシュート７の姿勢保持部９ｂ入口付近で部品Ｐが詰まったときには、シュート７の姿勢整列部９ａおよび姿勢保持部９ｂの上方を塞ぐ天板１２、１３を、天板側の磁石２０、１６とシュート本体側の磁石２１、１７との間の吸引力に抗して開くことにより、詰まった部品Ｐの排除作業が容易に行えるようになっている。なお、図７および図８はシュート７下流側の天板１３が開いた状態を図示しているが、シュート７中央部側の天板１２が開いた状態もこれと同様になる。
【００３４】
各天板１２、１３を開くときは、各天板１２、１３の駆動手段であるエアシリンダ２３、１９に図示省略したエア源からエアを供給する。すると、シュート７下流側では、前述のように、エアシリンダ１９のロッド１９ｂの筒部１９ａからの突出量が大きくなり、筒部１９ａがシュート本体１１から離れるのにともなって、筒部１９ａと一体に天板１３が天板取付面１１ａに沿って開方向に移動し、姿勢保持部９ｂの上方が開放される。また、これと同様のメカニズムで、シュート７中央部側の天板１２が天板取付面１１ａに沿って開方向に移動し、姿勢整列部９ａの上方が開放される。
【００３５】
各天板１２、１３を開いて詰まった部品Ｐを排除した後は、各エアシリンダ２３、１９へのエアの供給を停止するだけで、各天板１２、１３が天板側の磁石２０、１６とシュート本体側の磁石２１、１７との間の吸引力によって天板取付面１１ａに沿って閉方向に移動し、図１乃至図５に示した状態に戻る。
【００３６】
上記のように、この部品搬送装置では、各天板１２、１３がエアシリンダ２３、１９へのエアの供給とその供給の停止によって容易に開閉できるので、天板の開閉のために固定用のねじを緩めたり締め付けたりする必要のある従来のものに比べて、短時間で効率よく部品排除作業を行うことができる。
【００３７】
ここで、各天板１２、１３は、その開閉方向に延びる長穴１２ａ、１３ａに天板取付面１１ａから突出するピン２２、１８を摺動可能に差し込まれているので、各エアシリンダ２３、１９へエアを供給したときやその供給を停止したときには、ピン２２、１８に案内されてスムーズに開閉動作を行うことができる。また、各天板１２、１３は、部品搬送方向の移動をピン２２、１８によって規制されるので、部品搬送中の振動によってがたつくこともない。
【００３８】
そして、各天板１２、１３を開いたときも、各天板１２、１３がシュート本体１１の天板取付面１１ａと密着した状態が維持されるので、詰まった部品Ｐを圧縮空気で排除する作業を行っても、圧縮空気によって飛び散った不良部品の欠片等が天板１２、１３とシュート本体１１の間へ噛み込むおそれがなく、天板１２、１３を閉じた後も安定した運転を行うことができる。
【００３９】
また、シュート本体１１の天板取付面１１ａは、ねじ穴等の凹部のない平坦面とされているので、上記のように天板１２、１３を開いたときの天板取付面１１ａの露出部分や、天板１２、１３をシュート７から取り外したときの天板取付面１１ａに不良部品の欠片が乗ったり塵や埃等の異物が付着したりしても容易に発見して除去することができ、これによっても天板１２、１３とシュート本体１１の間への異物等の噛み込みを防止することができる。
【００４０】
そして、この部品搬送装置では、下記のようにシュート本体１１への天板１２、１３の脱着作業を容易に行えるという利点もある。すなわち、各天板１２、１３は、天板側の磁石２０、１６とシュート本体側の磁石２１、１７との間の吸引力のみでシュート本体１１に取り付けられているので、その吸引力よりも大きい力で持ち上げるだけでシュート本体１１から取り外せる。また、各天板１２、１３のシュート本体１１への組み付けの際も、天板１２、１３の長穴１２ａ、１３ａをシュート本体１１のピン２２、１８に嵌合させるだけで、天板１２、１３が位置決めされた状態で取り付けられる。したがって、従来のよう天板の脱着のために固定用のねじを抜いたりねじ込んだりする必要がなく、簡単に天板１２、１３を脱着することができる。
【００４１】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【００４２】
例えば、上述した実施形態では、シュート本体へ天板の取り付けるための磁石として永久磁石を採用することによりコストアップを抑えるようにしたが、その永久磁石に代えて電磁石を用いることもできる。
【００４３】
また、実施形態では、天板側の磁石２０、１６とシュート本体側の磁石２１、１７との間に吸引力を効果的に発生させるために、シュート本体１１および天板１２、１３を非磁性材料で形成したが、シュート本体および天板は、その磁石取付部（磁石が埋め込まれる位置の周辺部）のみを非磁性材料で形成するようにしてもよい。
【００４４】
さらに、実施形態では、天板１２、１３を開閉するための駆動手段として、エアシリンダ２３、１９を用いる例を示したが、他の方法により天板１２、１３を開閉する構成であってもよい。すなわち、駆動手段としてソレノイド等を用いて天板１２、１３の開閉を行う構成であってもよい。ただし、駆動手段は、シュート本体１１や天板１２、１３と一体となって振動する部材であるため、エアシリンダ等、振動に強く軽いものであることが好ましい。また、作業者が直接、天板１２、１３を開閉する構成であってもよい。
【００４５】
また、実施形態では、エアシリンダ２３、１９で天板１２、１３を移動させることにより、姿勢整列部９ａおよび姿勢保持部９ｂの上方を開放する例を示したが、シュート本体１１を移動させることにより、姿勢整列部９ａおよび姿勢保持部９ｂの上方を開放する構成であってもよい。ただし、直進フィーダ２の搬送路９の上流には、ボウルフィーダ１の搬送路６が設けられているため、天板１２、１３を移動させる方が好ましい。
【００４６】
なお、本発明は、実施形態のように振動式ボウルフィーダの下流側に振動式直進フィーダを配した振動式部品搬送装置に限らず、振動式直進フィーダが前工程の装置から部品を直接受け取る振動式部品搬送装置にももちろん適用することができる。
【符号の説明】
【００４７】
１  ボウルフィーダ
２  直進フィーダ
４  ボウル
６  （ボウルの）搬送路
７  シュート
９  （シュートの）搬送路
９ａ  姿勢整列部
９ｂ  姿勢保持部
１０  リターンシュート
１１  シュート本体
１１ａ  天板取付面
１２、１３  天板
１２ａ、１３ａ  長穴
１４  側板
１６、１７、２０、２１  磁石
１８、２２  ピン
１９、２３  エアシリンダ
１９ａ  筒部
１９ｂ  ロッド
Ｐ  部品
【図１】
2018115063.tif 000003
【図２】
2018115063.tif 000004
【図３】
2018115063.tif 000005
【図４】
2018115063.tif 000006
【図５】
2018115063.tif 000007
【図６】
2018115063.tif 000008
【図７】
2018115063.tif 000009
【図８】
2018115063.tif 000010
【図９】
2018115063.tif 000011